(57)【要約】【課題】複数の基板（電子モジュール）をバックボードを介して構成している電子機器において、装置が主制御基板以外の基板（周辺基板）の異常を検知して、外部表示装置に表示する技術を提供する。【解決手段】各スロット間での伝送データに、例えば、伝送データにＣＲＣチェックのような誤り訂正を施し、周辺基板（ここでは、ＳＬＯＴ２）でＣＲＣコードにエラーが出た場合（数回エラーが続く場合、周辺基板に異常があると検知されるのが好ましい）に主制御基板で周辺基板の異常が有ることを検知する。異常検知後は、周辺基板で異常が検知された旨を外部表示装置に知らせる表示を行う。【選択図】  図２
2004201110.tif 000002
【特許請求の範囲】
【請求項１】
複数の基板がバックボードを経由して接続される電子機器であって、
前記電子機器は複数の周辺基板を制御する主制御基板と、
前記主制御基板はそれぞれ周辺基板の異常を検知する手段と、
当該複数の周辺基板の異常の有無を表示する表示部と
を備えることを特徴とする電子機器。
【請求項２】
請求項１記載の電子機器において、前記表示部は７セグメント表示部を備え、
異常が検知された周辺基板に対応する数字を表示することを特徴とする電子機器。
【請求項３】
請求項１記載の電子機器において、前記表示部は７セグメント表示部を備え、
異常が検知された周辺基板が複数存在する場合は、当該複数の基板周辺基板にそれぞれ対応する数字を順次表示することを特徴とする電子機器。
【発明の詳細な説明】
【０００１】
【発明の属する技術分野】
複数の基板（電子モジュール）をバックボードを介して構成している電子機器において、装置が主制御基板以外の基板（周辺基板）の異常を検知して、外部表示装置に表示する技術を提供する。
【０００２】
【従来の技術】
複数の基板をバックボードに接続して使用する電子機器において、例えば、２４時間通電状態で運用する装置の場合には、運用中基板の故障（異常）が発生する場合も存在する。
【０００３】
従来の電子機器の構成では、例えば、図６に示すように、電子機器１００に使用されている基板の構成は、主制御基板Ａ１０１と、周辺基板Ｂ１０２と、周辺基板Ｃ１０３と、周辺基板Ｄ１０４と、それらの基板を接続するバックボード１０５の合計５枚の基板で構成されている。この構成においては、ＳＬＯＴ０に主制御基板を差し込む構造になっており、ＳＬＯＴ１からＳＬＯＴ３までは、主制御基板と通信するための周辺基板を差し込むようになっている。
【０００４】
【発明が解決しようとする課題】
しかし、従来の構成では、周辺基板が故障又は異常が有る場合に、故障した旨を知らせる手段が無く、周辺基板が故障していることに気がつかずに運用を継続してしまい、データ通信に支障をきたすという問題があった。
【０００５】
そこで、前述した問題点を解決するために、本発明は、複数の基板（電子モジュール）をバックボードを介して構成している電子機器において、装置が主制御基板以外の基板（周辺基板）の異常を検知して、外部表示装置に表示する技術を提供する。
【０００６】
【課題を解決するための手段】
本発明の請求項１記載の電子機器は、複数の基板がバックボードを経由して接続される電子機器であって、前記電子機器は複数の周辺基板を制御する主制御基板と、前記主制御基板はそれぞれ周辺基板の異常を検知する手段と、当該複数の周辺基板の異常の有無を表示する表示部とを備えることを特徴とする。
【０００７】
また、本発明の請求項２記載の電子機器は、請求項１記載の電子機器において、前記表示部は７セグメント表示部を備え、異常が検知された周辺基板に対応する数字を表示することを特徴とする。
【０００８】
更に、本発明の請求項３記載の電子機器は、請求項１記載の電子機器において、前記表示部は７セグメント表示部を備え、異常が検知された周辺基板が複数存在する場合は、当該複数の基板周辺基板にそれぞれ対応する数字を順次表示することを特徴とする。
【０００９】
【発明の実施の形態】
以下、発明の実施の形態を通じて本発明を説明するが、以下の実施の形態はクレームにかかる発明を限定するものではなく、又実施形態の中で説明されている特徴の組合せの全てが発明の解決手段に必須であるとは限らない。
【００１０】
本発明に関し具体的な方法を示すために、まず、主制御基板Ａと周辺基板Ｂ〜Ｄのデータやり取りについて説明する。図１は、主制御基板Ａと周辺基板Ｂ〜Ｄのデータのやり取りについて示した図であり、主制御基板と各スロット間のデータ伝送を時系列に通信するため、まず、ＳＬＯＴ１とＳＬＯＴ０間で通信を行い、次にＳＬＯＴ２とＳＬＯＴ０間で通信を行い、その次にＳＬＯＴ３とＳＬＯＴ０間で通信を行い、ＳＬＯＴ１からＳＬＯＴ３までを順に通信する構成になっている。
【００１１】
このような構成において、例えば、図２のように、ＳＬＯＴ２とＳＬＯＴ０間でデータ伝送を行っている最中に、いきなりＳＬＯＴ２基板に異常が有った場合は、そのデータは保証されなくなってしまう。
【００１２】
その為、各スロット間での伝送データに、例えば、伝送データにＣＲＣチェックのような誤り訂正を施し、周辺基板（ここでは、ＳＬＯＴ２）でＣＲＣコードにエラーが出た場合（数回エラーが続く場合、周辺基板に異常があると検知されるのが好ましい）に異常が有ることを検知する。
【００１３】
次に、周辺基板での異常検知の処理について図３を使用して説明する。まず、最初に誤り回数比較係数：Ｙを予め周辺基板側に設定する（Ｓ１１）。ここで、誤り回数比較閾値Ｙとは、データ誤りが何回続くかの閾値であり、例えば、Ｙが３として、３回以上データ誤りが続けば、周辺基板に異常があることを検知する役割を果たしている。次に、誤り回数をカウントするＸｎをそれぞれ０に設定する（Ｓ１２）。ここで、ｎは何ＳＬＯＴ番目のデータ伝送かを表すパラメータであり、ここではＳＬＯＴはＭ個有るとする。次に、主制御基板は周辺基板から伝送データ（ＣＲＣコードを含む）を受信して（Ｓ１３）、現在のデータ伝送のＳＬＯＴ番号ｎは何であるかの確認を行い（Ｓ１４）、受信したＳＬＯＴ番号ｎの伝送データに対するＣＲＣコードの比較を行う（Ｓ１５）。ＣＲＣコードの比較から現在のＳＬＯＴ番号ｎの伝送データに誤りの有無を確認し（Ｓ１６）、誤りが無い場合は通常処理を行い（Ｓ１７）、誤りが有る場合は現在の誤り回数Ｘｎに１をカウントする（Ｓ１８）。次に、現在のＳＬＯＴ番号ｎの誤り回数Ｘｎと誤り回数比較閾値Ｙ比較し（Ｓ１９）、ＸｎがＹより小さい場合は、次の伝送データに対する誤り検出の処理を行う準備に入り、ＸｎがＹ以上である場合は、周辺基板が異常であると検知する（Ｓ２０）。以上が、周辺基板での誤り検知処理である。
【００１４】
次に、周辺基板で異常が検知された場合に外部表示装置に異常を知らせる表示を行う方法の一例について図４を用いて説明する。通常、主制御基板と周辺基板で図１で示すようなデータのやり取りを行っているが、主制御基板での周辺基板の異常を検知した場合（Ｓ３１）は、主制御基板でどの周辺基板に異常があるかを確認する（Ｓ３２）。異常の検知方法に関しては図３で示した方法で行うことが出来る。次に、異常を確認された周辺基板とのデータのやり取りを終了し（Ｓ３３）、主制御基板は、異常のある周辺基板を通信機器に備えられている外部表示装置に異常である旨の表示を行う処理をする（Ｓ３４）。
【００１５】
次に、電子機器に備えられている外部表示装置に異常である旨の表示の一例について図５を用いて説明する。周辺基板Ｃ（スロット２）に異常が検知された場合は、例えば、７セグメント表示器を使用すると、図５（ａ）のように、「２」という数字を表示又は点滅させて外部に周辺基板に異常があることを知らせることが出来る。また、複数の周辺基板に異常が検知された場合、例えば、周辺基板Ｃ（スロット２）と周辺基板Ｄ（スロット３）に異常が検知された場合は、７セグメント表示器に図５（ａ）のように「２」と、図５（ｂ）のように「３」を交互に点滅表示して外部に異常があることを知らせることが出来る。  また、異常がない場合は、図５（ｃ）のように７セグメント部には表示は行わず、ドット部に表示又は点滅表示を行うことで周辺基板に異常がないことを外部に知らせることが出来る。
【００１６】
【発明の効果】
このように本発明によれば、複数の基板をバックボードに接続して使用する電子機器において、基板に異常が有ることが即座に確認することができ、基板交換等への即座な対応が可能となる。
【図面の簡単な説明】
【図１】主制御基板Ａと周辺基板Ｂ〜Ｄのデータのやり取りにおける主制御基板と各スロット間のデータ伝送を示した図である。
【図２】スロット間でデータ伝送最中に、異常が有った場合の一例を示す図である。
【図３】周辺基板での異常検知の処理について示した図である。
【図４】周辺基板で異常が検知された場合に外部表示装置に異常を知らせる表示を行う方法の一例について示した図である。
【図５】電子機器に備えられている外部表示装置に異常である旨の表示の一例について示した図である。
【図６】従来の電子機器の構成の一例を示す図である。
【符号の説明】
１００      電子機器
１０１      主制御基板（基板Ａ）
１０２      周辺基板（基板Ｂ）
１０３      周辺基板（基板Ｃ）
１０４      周辺基板（基板Ｄ）
１０５      バックボード
【図１】
2004201110.tif 000003
【図２】
2004201110.tif 000004
【図３】
2004201110.tif 000005
【図４】
2004201110.tif 000006
【図５】
2004201110.tif 000007
【図６】
2004201110.tif 000008